【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
コンパイルされ、強化されたリッチメディアバナー広告ファイルを作成する、コンピュータで実行される方法であり、各強化されたリッチメディアバナー広告ファイルは、この強化されたリッチメディアバナー広告ファイルに関連する、コンパイルされたリッチメディアファイルである、元のバナー広告ファイルのコンテントおよび機能と、前記元のおよび強化されたリッチメディアバナー広告ファイルに関連する広告主との通話をユーザーが開始できるようにする通話アプリケーションとを備えた、コンパイルされ、強化されたリッチメディアバナー広告ファイルを作成するコンピュータで実行される方法において、
前記元のコンパイルされたバナー広告の元のコードおよびコンテントと前記通話アプリケーションのコードとを統合するステップと、
前記通話アプリケーションと前記元のバナー広告の組み合わされた作動的機能およびコンテントを可能にする、新たなコンパイルされ、強化されたリッチメディアバナー広告ファイルを作成するステップとを備え、
前記新しく作成された、コンパイルされ、強化されたリッチメディアバナー広告ファイルは、ユーザーが前記強化され、コンパイルされたリッチメディアバナー広告ファイル内の通話アプリケーションをオペレートすることにより、前記広告主と前記ユーザーとの間の通話を開始することを可能にする、強化され、コンパイルされたリッチメディアバナー広告ファイルを作成する、コンピュータで実行される方法。
【請求項２】
前記強化されたリッチメディアバナー広告ファイルを作成する際に、監督コードを統合するステップを更に備え、前記監督コードは、前記元のバナー広告のコードおよび前記元のバナー広告の前記元のコードを前記強化されたリッチメディアバナー広告ファイルにより実行する方法の監督を可能にする、請求項１に記載の方法。
【請求項３】
前記元のバナー広告のコードと前記通話アプリケーションのコードとを統合する前記ステップは、前記元のバナー広告の前記コードをデコンパイルするステップと、前記通話アプリケーションのコードと前記元のバナー広告の前記コードおよびコンテントとを統合するステップと、前記統合されたコードをリコンパイルし、前記コンパイルされ、強化されたリッチメディアバナー広告ファイルを作成するステップとを含む、請求項１に記載の方法。
【請求項４】
前記広告主が通話ツールをカスタム化できるように、通話アプリケーションのパラメータを定めるステップと、
ダイナミックコンテナ内でオペレートされているダイナミックプロジェクタに前記元のバナー広告をアップロードするステップと、
前記通話アプリケーションに関連するデータおよびコマンドを前記強化されたリッチメディアバナー広告ファイルにダイナミックにロードすることを可能にする通話レイヤーを使用し、前記通話アプリケーションのコードを、前記強化されたリッチメディアバナー広告ファイル内ヘ前記元のバナー広告のコンテントをダイナミックにロードすることを可能にするダイナミックプロジェクタと統合することにより前記強化されたリッチメディアバナー広告ファイルを作成するステップと、
前記作成され、強化されたリッチメディアバナー広告ファイルを少なくとも１つのネットワークページに埋め込むステップと、
前記ダイナミックプロジェクタを使用し、前記元のバナー広告のコンテントを前記強化されたバナー広告内にダイナミックにロードするステップと、
前記通話レイヤーを使用し、前記通話アプリケーションの前記パラメータを前記強化されたリッチメディアバナー広告ファイル内にダイナミックにロードするステップを更に含む、請求項１に記載の方法。
【請求項５】
メインウェブサイトにログインするステップを更に備え、前記メインウェブサイトは、前記広告主が前記元のバナー広告を提供し、前記通話アプリケーションのパラメータを定めることができるようにするインターフェースを含み、前記ウェブサイトは、前記ダイナミックコンテナに作動的に関連している、請求項４に記載の方法。
【請求項６】
前記強化されたリッチメディアバナー広告ファイルを作成する前記ステップは、前記ダイナミックコンテナ内に含まれる監督コードを前記強化されたリッチメディアバナー広告ファイル内に統合するステップを含み、前記監督コードは、前記バナー広告のコードおよび前記元のバナー広告の元のコードを前記強化されたリッチメディアバナー広告ファイルにより実行する方法を管理することを可能にする、請求項４に記載の方法。
【請求項７】
前記広告主が前記通話ツールをカスタム化できるように通話アプリケーションのパラメータを定めるステップと、
マスターコンテナ内に埋め込まれる、スレーブの元のバナー広告からコンテントおよびコードをロードすることを可能にするプロジェクタを含む前記マスターコンテナを使用し、前記元のバナー広告のコンテントおよびコードにアクセスするステップと、
前記強化されたリッチメディアバナー広告ファイルに通話アプリケーションに関連するデータおよびコマンドをダイナミックにロードすることを可能にする前記通話レイヤーを使用し、前記通話アプリケーションのコードを、スレーブとして埋め込まれている元のバナー広告および前記スレーブを前記強化されたリッチメディアバナー広告ファイルにロードすることを可能にするプロジェクタと統合することにより、前記強化されたリッチメディアバナー広告ファイルを作成するステップと、
前記プロジェクタを使用し、前記スレーブの元のバナー広告のコンテントを前記強化されたリッチメディアバナー広告ファイルにロードするステップと、
前記通話レイヤーを使用し、前記通話アプリケーションの前記パラメータを前記強化されたリッチメディアバナー広告ファイル内にダイナミックにロードするステップとを更に含む、請求項１に記載の方法。
【請求項８】
前記強化されたリッチメディアバナー広告ファイルを作成する前記ステップは、前記マスターコンテナ内に含まれる監督コードを前記強化されたリッチメディアバナー広告ファイル内に統合するステップを含み、前記監督コードは、前記バナー広告のコードおよび前記元のバナー広告の元のコードを前記強化されたリッチメディアバナー広告ファイルにより実行する方法を管理することを可能にする、請求項７に記載の方法。
【請求項９】
カスタム化であって、
個人口座にログインするステップであり、広告主はメインウェブサイト内の自分の口座にログインする、ステップと
ユーザーと前記ターミナルとの通信を可能にするための前記広告主のターミナルの少なくとも１つの識別子を含む、前記通話アプリケーションのための通話パラメータを定めるステップと、
前記広告主が定めた通話アプリケーションパラメータのすべてへのアクセスを可能にする、個人用バナー広告鍵を作成するステップと、
プラグインを実施することによって挿入された前記通話アプリケーションのグラフィックデザインおよび機能を変更し、前記広告主が定めた通話アプリケーションのパラメータへのアクセスを可能にするプラグインプロパティとして前記個人用バナー広告鍵を提供することにより行なわれるバナー広告上のプラグインを前記ユーザーが実施できるようにするプラグインソフトウェアツールをダウンロードするステップと、
前記バナー広告をコンパイルすることにより、新たな強化されたリッチメディアバナー広告ファイルを作成するステップと、
少なくとも１つのネットワークページ内に前記強化されたリッチメディアバナー広告ファイルを埋め込むステップと、
前記広告主の個人用バナー広告鍵に対応する通話アプリケーションのパラメータをロードするステップとを備えるカスタム化のプラグインを更に備える、請求項１に記載の方法。
【請求項１０】
強化され、コンパイルされたリッチメディアバナー広告ファイルを作成する、メインバナー広告モジュールであり、各強化されたリッチメディアバナー広告ファイルは、コンパイルされたリッチメディアファイルである元のコンパイルされたバナー広告のコンテントおよび機能と、元のおよび強化されたリッチメディアバナー広告ファイルに関連する、広告主との通話をユーザーが開始できるようにする通話アプリケーションとを備え、前記メインバナー広告モジュールは、前記元のバナー広告のコードおよびコンテントを受信し、元のバナー広告と通話アプリケーションとを統合し、通話アプリケーション能力を有する新たな強化されたリッチメディアバナー広告ファイルを作成することを可能にする統合モジュールを備える、メインバナー広告モジュール。
【請求項１１】
広告主であるユーザーが前記強化されたリッチメディアバナー広告ファイルの通話アプリケーションをカスタム化できるようにするカスタム化モジュールであって、前記カスタム化は、広告主が少なくとも１つの通話識別子を入力し、通話アプリケーションのグラフィックパラメータを定めると共に、通話アプリケーションの機能パラメータおよび条件を定めることができるようにすることを更に含むカスタム化モジュールと、
前記強化されたリッチメディアバナー広告ファイルの機能およびコンテントを管理するために、少なくとも１つの強化されたリッチメディアバナー広告ファイルとのオンライン通信を可能にする通信モジュールと、
データの記憶を可能にすると共に、前記元のバナー広告のロケーション、前記元のバナー広告に関連する前記強化されたリッチメディアバナー広告ファイルの通話アプリケーションの機能を定めるパラメータ、前記広告主に関連するデータのうちの少なくとも１つに関する情報をサーチすることを可能にするデータベースと、
を更に含む、請求項１０に記載のメインバナー広告モジュール。
【請求項１２】
前記統合モジュールは、前記元のバナー広告のコードをデコンパイルし、前記通話アプリケーションのコードを統合し、次に強化されたリッチメディアバナー広告ファイルを作成するために、統合されたコードをリコンパイルすることにより、前記元のバナー広告のコードと前記通話アプリケーションのコードとを統合することを可能にする、請求項１０に記載のメインバナー広告モジュール。
【請求項１３】
前記統合モジュールは、ダイナミックコンテナを含み、このダイナミックコンテナは、
リモートメインウェブサイトから前記元のバナー広告のコードをダイナミックにアップロードすることを可能にするダイナミックプロジェクタと、
前記ウェブサイトから前記広告主の通話アプリケーションのカスタム化されたパラメータをダイナミックに検索することを可能にする通話レイヤーとを備え、
前記コンテナは、強化されたリッチメディアバナー広告ファイルを作成すること、少なくとも１つのネットワークページに前記強化されたリッチメディアバナー広告ファイルを埋め込むこと、前記ダイナミックなプロジェクタを使用し、前記元のバナー広告のロケーションから前記埋め込まれた強化されたリッチメディアバナー広告ファイルへ、元のバナー広告のコンテントをダイナミックにロードすることを可能にし、
前記コンテナは、通話レイヤーを使用し、前記ウェブサイトから前記強化されたリッチメディアバナー広告ファイルに前記通話アプリケーションのパラメータをロードすることを更に可能にする、請求項１０に記載のメインバナー広告モジュール。
【請求項１４】
前記ダイナミックコンテナは、監督コードを前記強化されたリッチメディアバナー広告ファイルに統合することを可能にする監督コードを更に備え、前記監督コードは、前記元のバナー広告のコンテントおよび前記元のバナー広告の元のコードを前記強化されたリッチメディアバナー広告ファイルにより実行する方法の監督を可能にする、請求項１３に記載のメインバナー広告モジュール。
【請求項１５】
前記統合モジュールは、マスターコンテナを備え、このマスターコンテナは、
スレーブバナー広告である少なくとも１つの元のバナー広告と、
前記マスターコンテナから前記元のバナー広告のコードおよびコンテントをロードできるようにするプロジェクタと、
前記ウェブサイトから広告主の通話アプリケーションのカスタム化されたパラメータをダイナミックに検索できるようにする通話レイヤーとを備え、
前記マスターコンテナは、前記強化されたリッチメディアバナー広告ファイルが一旦少なくとも１つのネットワークページに埋め込まれた場合に、前記プロジェクタを使用して、強化されたリッチメディアバナー広告ファイルの作成を可能にし、前記マスターコンテナから前記強化されたリッチメディアバナー広告ファイルへ、前記元のバナー広告のコンテントをロードできるようにし、
前記コンテナは更に、前記通話レイヤープロジェクタを使って前記ウェブサイトから、前記埋め込まれ、強化されたリッチメディアバナー広告ファイルに、前記通話アプリケーションのパラメータおよび前記通話アプリケーションコードの少なくとも一部のうちの少なくとも一方をロードできるようにする、請求項１０に記載のメインバナー広告モジュール。
【請求項１６】
前記マスタコンテナは、前記元のバナー広告のコンテントおよび前記元のバナー広告の元のコードを前記強化されたリッチメディアバナー広告ファイルにより実行する方法の監督を可能にする監督コードを更に含む、請求項１５に記載のメインバナー広告モジュール。
【請求項１７】
少なくとも１つの通信ネットワークを通して前記メインバナー広告モジュールと通信する少なくとも１つの第三当事者のエンティティから、元のバナー広告を受信して、強化された多数のバナー広告を作成し、強化のために前記元のバナー広告を送信した前記第三当事者のエンティティに、作成され、強化された各リッチメディアバナー広告ファイルを戻すことを更に可能にする、請求項１０に記載のメインバナー広告モジュール。
【請求項１８】
強化されたリッチメディアバナー広告ファイルを作成するシステムであって、強化された各リッチメディアバナー広告ファイルは、この強化されたリッチメディアバナー広告ファイルに関連する、コンパイルされたリッチメディアファイルである、元のコンパイルされたバナー広告ファイルのコンテントおよび機能と、前記元のおよび強化されたリッチメディアバナー広告ファイルに関連する、広告主との通話をユーザーが開始できるようにする通話アプリケーションとを備え、前記システムは、
元のバナー広告のコードおよびコンテントを受信し、通話適用性を有する新たな強化されたリッチメディアバナー広告ファイルを作成するため、前記元のバナー広告と通話アプリケーションとの統合を可能にできるメインバナー広告モジュールと、
少なくとも１つの広告主に関連し、少なくとも１つの通信ネットワークを通し、少なくとも一人のユーザーとの通信を可能にする、少なくとも１つの広告主のターミナルと、
前記強化されたリッチメディアバナー広告ファイルが埋め込まれている少なくとも１つのネットワークページとの通信および少なくとも１つの通信ネットワークを通した前記広告主のターミナルとの通信を可能にする、少なくとも１つのユーザーのターミナルとを備え、
作成され、強化されたリッチメディアバナー広告ファイル内の前記通話アプリケーションは、前記少なくとも１つの広告主およびユーザーのターミナルを通して、前記リッチメディアバナー広告ファイルに関連する前記広告主と少なくとも一人のユーザーとの通信を可能にする、強化されたリッチメディアバナー広告ファイルを作成するシステム。
【請求項１９】
前記メインバナー広告モジュールは、
元のバナー広告のコードおよびコンテントを受信し、前記元のバナー広告と通話アプリケーションとを統合し、通話適用性を有する新たな強化されたリッチメディアバナー広告ファイルを作成することを可能にする統合モジュールと、
前記強化されたリッチメディアバナー広告ファイルからデータおよびコマンドを受信し、前記通話アプリケーションを監督すると共に、前記バナー広告にデータを記憶することを可能にする通信モジュールであって、前記強化されたリッチメディアバナー広告ファイルとのオンライン通信を可能にし、少なくとも１つのタイプの少なくとも１つの通信ネットワークを通して前記埋め込まれ、強化されたリッチメディアバナー広告ファイルの管理を可能にする通信モジュールと、
前記広告主が強化されたリッチメディアバナー広告ファイルの通話アプリケーションをカスタム化できるようにするカスタム化モジュールであって、前記カスタム化は、前記広告主が前記ユーザーと通信するための前記広告主のターミナルを識別するための少なくとも１つの通話識別子を入力し、前記広告主のターミナルから前記ユーザーへの通話を開始し、前記通話アプリケーションのグラフィックパラメータを定め、前記通話アプリケーションの機能パラメータおよび条件を定めることができるようにするカスタム化モジュールと、
データの記憶を可能にすると共に、各広告主の前記元のバナー広告、通話アプリケーションのパラメータおよび各広告主に関連する他の詳細に関する情報をサーチすることを可能にするデータベースと、
を更に含む、請求項１８に記載のシステム。